(57)【特許請求の範囲】
【請求項１】
集光型光電池（以下「ＣＰＶ」と略称する）モジュールにおけるセンサ担持プレート（１）に対するレンズプレート（２）の位置を最適に調整するための装置であって、前記センサ担持プレート（１）は複数のＣＰＶセンサ（５）を有し、前記レンズプレート（２）は、前記ＣＰＶセンサ（５）の数に対応した数のレンズを有し、前記レンズプレート（２）の前記レンズは、前記レンズの焦点距離分だけ前記ＣＰＶセンサ（５）よりも上方で、前記レンズの光軸の領域において、前記ＣＰＶセンサ（５）の水平方向の位置に対してほぼ平行に取り付けられており、
前記装置は、
前記ＣＰＶモジュールの前記ＣＰＶセンサ（５）に設定可能な電力を供給するための手段と、
前記レンズプレート（２）と同じ寸法を有し、調節される前記レンズプレート（２）と平行に取り付けられた固定レンズプレート（３）と、
前記ＣＰＶセンサ（５）の数に対応した数の４分割センサ（４）であって、前記固定レンズプレート（３）と平行に配置され、前記４分割センサ（４）の幾何学的中心点は、前記固定レンズプレート（３）のレンズの光軸上で、前記レンズの焦点距離分だけ離れた位置にあるものと、
互いに直角に配置され、前記レンズプレート（２）を水平方向に移動させる２つの調整装置（１２，１３）と、
前記４分割センサ（４）の出力信号を解析し、前記４分割センサ（４）の出力信号の電圧又は電流に基づいて前記２つの調整装置（１２，１３）を制御する制御ユニット（９）と、
を備えたことを特徴とする。
【請求項２】
集光型光電池（以下「ＣＰＶ」と略称する）モジュールにおけるセンサ担持プレート（１）に対するレンズプレート（２）の位置を最適に調整するための装置であって、前記センサ担持プレート（１）は複数のＣＰＶセンサ（５）を有し、前記レンズプレート（２）は、前記ＣＰＶセンサ（５）の数に対応した数のレンズを有し、前記レンズプレート（２）の前記レンズは、前記レンズの焦点距離分だけ前記ＣＰＶセンサ（５）よりも上方で、前記レンズの光軸の領域において、前記ＣＰＶセンサ（５）の水平方向の位置に対してほぼ平行に取り付けられており、
前記装置は、
前記レンズプレート（２）と同じ寸法を有し、調節される前記レンズプレート（２）と平行に取り付けられた固定レンズプレート（３）と、
前記ＣＰＶセンサ（５）の数に対応した数の点状光源（６）であって、前記固定レンズプレート（３）と平行に配置され、前記点状光源（６）の幾何学的中心点は、前記固定レンズプレート（３）のレンズの光軸上で、前記レンズの焦点距離分だけ離れた位置にあるものと、
前記点状光源（６）に設定可能な電力を供給するための手段と、
互いに直角に配置され、前記レンズプレート（２）を水平方向に移動させるための２つの調整装置（１２，１３）と、
前記ＣＰＶセンサ（５）の出力信号を解析し、前記ＣＰＶセンサ（５）の出力信号の電圧又は電流に基づいて前記２つの調整装置（１２，１３）を制御する制御ユニット（９）と、
を備えたことを特徴とする。
【請求項３】
前記レンズプレート（２）を垂直方向に移動させるための調整装置がさらに設けられていることを特徴とする請求項１又は請求項２に記載された装置。
【請求項４】
モジュールフレーム（１４）と前記レンズプレート（２）の間及び前記モジュールフレーム（１４）と前記センサ担持プレート（１）の間にシリコン封止剤塊（１５）を塗布する装置をさらに備え、前記モジュールフレーム（１４）は、前記センサ担持プレート（１）と前記レンズプレート（２）を保持するために用いられることを特徴とする請求項１乃至請求項３のいずれか一項に記載された装置。
【請求項５】
集光型光電池（以下「ＣＰＶ」と略称する）モジュールにおけるセンサ担持プレート（１）に対するレンズプレート（２）の位置を最適に調整するための方法であって、前記センサ担持プレート（１）は複数のＣＰＶセンサ（５）を有し、前記レンズプレート（２）は、前記ＣＰＶセンサ（５）の数に対応した数のレンズを有し、前記レンズプレート（２）の前記レンズは、前記レンズの焦点距離分だけ前記ＣＰＶセンサ（５）よりも上方で、前記レンズの光軸の領域において、前記ＣＰＶセンサ（５）の水平方向の位置に対してほぼ平行に取り付けられており、
前記方法は、
固定レンズプレート（３）及び複数の４分割センサ（４）を配置する工程であって、前記固定レンズプレート（３）は、前記レンズプレート（２）と同じ寸法を有し、調節される前記レンズプレート（２）と平行に取り付けられ、前記４分割センサ（４）は、前記ＣＰＶセンサ（５）の数に対応した数であって、前記固定レンズプレート（３）と平行に配置され、前記４分割センサ（４）の幾何学的中心点は、前記固定レンズプレート（３）のレンズの光軸上で、前記レンズの焦点距離分だけ離れた位置にあるものと、
互いに直角に配置され、前記レンズプレート（２）を水平方向に移動させるための２つの調整装置（１２，１３）を前記レンズプレート（２）に取り付ける工程と、
前記ＣＰＶモジュールの前記ＣＰＶセンサ（５）に設定可能な電力を供給する工程と、
前記４分割センサ（４）の出力信号を解析し、前記４分割センサ（４）の出力信号の電圧又は電流に基づいて前記２つの調整装置（１２，１３）を制御する工程と、
を備えたことを特徴とする。
【請求項６】
集光型光電池（以下「ＣＰＶ」と略称する）モジュールにおけるセンサ担持プレート（１）に対するレンズプレート（２）の位置を最適に調整するための方法であって、前記センサ担持プレート（１）は複数のＣＰＶセンサ（５）を有し、前記レンズプレート（２）は、前記ＣＰＶセンサ（５）の数に対応した数のレンズを有し、前記レンズプレート（２）の前記レンズは、前記レンズの焦点距離分だけ前記ＣＰＶセンサ（５）よりも上方で、前記レンズの光軸の領域において、前記ＣＰＶセンサ（５）の水平方向の位置に対してほぼ平行に取り付けられており、
前記方法は、
固定レンズプレート（３）及び複数の点状光源（６）を配置する工程であって、前記固定レンズプレート（３）は、前記レンズプレート（２）と同じ寸法を有し、調節される前記レンズプレート（２）と平行に取り付けられ、前記点状光源（６）は、前記ＣＰＶセンサ（５）の数に対応した数であって、前記固定レンズプレート（３）と平行に配置され、前記点状光源（６）の幾何学的中心点は、前記固定レンズプレート（３）のレンズの光軸上で、前記レンズの焦点距離分だけ離れた位置にあるものと、
互いに直角に配置され、前記レンズプレート（２）を水平方向に移動させるための２つの調整装置（１２，１３）を前記レンズプレート（２）に取り付ける工程と、
前記点状光源（６）に設定可能な電力を供給する工程と、
前記ＣＰＶセンサ（５）の出力信号を解析し、前記ＣＰＶセンサ（５）の出力信号の電圧又は電流に基づいて前記２つの調整装置（１２，１３）を制御する工程と、
を備えたことを特徴とする。
【請求項７】
前記レンズプレート（２）を垂直方向に移動させるための工程がさらに設けられていることを特徴とする請求項５又は請求項６に記載された方法。
【請求項８】
モジュールフレーム（１４）と前記レンズプレート（２）の間及び前記モジュールフレーム（１４）と前記センサ担持プレート（１）の間にシリコン封止剤塊（１５）を塗布する工程をさらに備え、前記モジュールフレーム（１４）は、前記センサ担持プレート（１）と前記レンズプレート（２）を保持するために用いられることを特徴とする請求項５乃至請求項７のいずれか一項に記載された方法。
【発明の詳細な説明】
【技術分野及び背景技術】
【０００１】
集光された太陽輻射と共に仕事をする光電池の分野においては、すでに、長年にわたって様々な取り組みが行われている。この場合、太陽輻射は、ミラー及び／又はレンズによって集光され、特別な集光型太陽電池上に導かれる。対応する集光型光電池システム（ＣＰＶ）は、現在、カスティーリャ＝ラ・マンチャ州プエルトリャノにおいて、集光型光電池システムのためのスペインの研究所（ＩＳＦＯＣ）においてテストされている。太陽光は、従来のシリコン太陽電池よりもずっと効果的な小型の太陽電池に入射するまでに、強度が４００乃至１０００倍になるように、レンズ又はミラーを用いて束ねられる。世界各地から集まった製造者は、そこの実験場においてＣＰＶモジュールを設置している。現在、その実験場には、およそ１０００基のモジュールが設置されている。研究者達は、利潤予想を進めており、とりわけ、この技術を開発段階から市場に移行させるのを容易にするために、長期間の安定性を試験している。
【０００２】
この時点までに、世界中で５０−１００ＣＰＶパイロットシステムが稼動中である(http:www.interpv.net/market/market_view.asp?idx=567&part_code=01)。それらのトータルの出力は約３０メガワットである。しかしながら、アメリカの市場調査協会であるグリーンテックメディア・リサーチが実施した最新の調査は、この技術に対しては実績の増加を予測しており、「ＰＶマニュファクチュアリング」誌も、第１３刊において自動化された製造能力の需要の増加を予測している（２０１１年９月）。
【０００３】
このようなシステムの核心は高性能太陽電池素子であり、それらは、現在のところ、特に、宇宙空間において用いられている。そこで、高性能太陽電池素子は、すでに長年にわたって人工衛星や電力を備えたロボットに提供されている。これらの太陽電池素子は、シリコンに代えて、ガリウム、インジウム、ヒ素又はリンで作られたいわゆる半導体化合物を含む。これらは、多数の異なった半導体層から成り、伝統的なシリコン太陽電池素子は、太陽光スペクトルの狭い範囲のみを電流に変換することができるけれども、それらの各層は、それぞれ太陽光スペクトルの異なった範囲を処理する。
【０００４】
特に、特許文献の中から以下の先行技術が知られている。US 4 834 805 Aに開示された光電池モジュールは、以下の特徴を備えている。積層基板中の個々のセル位置に割り当てられた光電池半導体結晶素子の構造であって、それらは２つの導電層で囲まれ、絶縁層によって分離されている。さらに、このモジュールは、積層基板から離れた位置に配置されたレンズでできた光搬送層で構成され、入射した輻射はレンズによって光搬送層の内部で基板内部に集光され、レンズ層、基板層及びそれらの間の空間は２インチ以下である。
【０００５】
DE 10 2006 007 472 A1から公知の光電池集光モジュールは、レンズプレートと、その上に太陽電池素子が取り付けられたベースプレートと、フレームを有し、フレームはレンズプレートとベースプレートを結合するように、レンズプレートとベースプレートの縁に沿って取り囲むように配置されている。
【０００６】
この公知の集光モジュールは、費用効果を生みだすことができ、長寿命であり、（従来は）かろうじてレンズプレート又はベースプレート上に収納されうるか又は全く収納できなかった付加的な構成部品を簡単に、且つ、柔軟に結合することを可能にするように改良されるべきである。また、そのような集光モジュールの製造を可能にするように、製造方法を発展されるべきである。
【０００７】
ここで述べられた目的は、レンズプレートとフレームの間及び／又はベースプレートとフレームの間でこのフレームに沿って、一方には少なくとも１つの第１封止剤塊及び／又は接着剤塊が、他方には少なくとも１つの第２封止剤塊が、フレームの長手方向の少なくとも一部分の周囲に配置されており、２つの封止剤塊及び／又は接着剤塊が硬化時間及び／又はガス密閉性に関して異っていることによって、達成される。
【０００８】
光電池集光モジュールの製造方法は、以下の特徴を有する。すなわち、フレームを配置し、レンズプレートとベースプレートを結合し、レンズプレートとベースプレートの縁に沿って、及び、フレームとレンズプレート及び／又はフレームとベースプレートの間に、一方には少なくとも１つの第１封止剤塊及び／又は接着剤塊を、他方には少なくとも１つの第２封止剤塊を、フレームの長手方向の少なくとも一部分の周囲に沿って導入し、２つの封止剤塊及び又は接着剤塊は、その硬化時間及び／又はガス密閉性に関して異なっている。
【０００９】
DE 10 2006 034 793 A1は、ＰＶ集光モジュール用の検査装置、この検査装置を補助するＰＶ集光モジュール用の検査方法、及びこの装置を用いて検査されたＰＶ集光モジュールの製造方法を開示している。この場合、ＰＶは光電池を意味する。この文献は、ＰＶ集光モジュールの品質管理を可能にすること、特に、完成されたモジュールの検査のために、最終組立前及び／又は最終組立後に、ＰＶ集光モジュールの効率及び／又はその他のパラメータの検査を可能にするという目的に基づいている。検査のための検査方法又はＰＶ集光モジュールを製造するための製造方法も準備されており、ＰＶ集光モジュールは容易に検査され又は信頼性の高い品質で製造される。
【００１０】
この目的を達成するため、ＰＶ集光モジュール用の検査装置は、太陽輻射をシミュレートした光を発生させる第１光源を有し、さらに、第１光源から出力された光ビームを、個々の光ビームの開き角が２度未満となるように束ね、この光束をＰＶ集光モジュールの光入射面に向けて方向付ける光学系を含む。さらに、この検査装置は、光束によって照射されたＰＶ集光モジュールの出力信号を測定するための測定装置を有している。この文献に開示された検査方法は、品質管理のために、最終組立の前及び／又は後に適用されるように準備されている。しかしながら、そこに記載された機能シーケンス又はその一部分ですら、製造工程中に直接的に適用されるようには準備されていない。
【発明の概要】
【００１１】
本発明に係る装置及びそれに対応した方法は、それを用いることによって、工業的に製造された集光モジュールを費用効果的に及び信頼性良く製造することができ、信頼性の高い最終検査を実施することができ、それによって、実際の運転に際して集光モジュールの長期安定性を達成することができる、装置及び方法を提案するという目的に基づいている。
【００１２】
この目的を達成するために、請求項１に係る発明は、集光型光電池（以下「ＣＰＶ」と略称する）モジュールにおけるセンサ担持プレート（１）に対するレンズプレート（２）の位置を最適に調整するための装置であって、前記センサ担持プレート（１）は複数のＣＰＶセンサ（５）を有し、前記レンズプレート（２）は、前記ＣＰＶセンサ（５）の数に対応した数のレンズを有し、前記レンズプレート（２）の前記レンズは、前記レンズの焦点距離分だけ前記ＣＰＶセンサ（５）よりも上方で、前記レンズの光軸の領域において、前記ＣＰＶセンサ（５）の水平方向の位置に対してほぼ平行に取り付けられており、
前記装置は、
前記ＣＰＶモジュールの前記ＣＰＶセンサ（５）に設定可能な電力を供給するための手段と、
前記レンズプレート（２）と同じ寸法を有し、調節される前記レンズプレート（２）と平行に取り付けられた固定レンズプレート（３）と、
前記ＣＰＶセンサ（５）の数に対応した数の４分割センサ（４）であって、前記固定レンズプレート（３）と平行に配置され、前記４分割センサ（４）の幾何学的中心点は、前記固定レンズプレート（３）のレンズの光軸上で、前記レンズの焦点距離分だけ離れた位置にあるものと、
互いに直角に配置され、前記レンズプレート（２）を水平方向に移動させる２つの調整装置（１２，１３）と、
前記４分割センサ（４）の出力信号を解析し、前記４分割センサ（４）の出力信号の電圧又は電流に基づいて前記２つの調整装置（１２，１３）を制御する制御ユニット（９）と、
を備えたことを特徴とする。
【００１３】
請求項２に係る発明は、集光型光電池（以下「ＣＰＶ」と略称する）モジュールにおけるセンサ担持プレート（１）に対するレンズプレート（２）の位置を最適に調整するための装置であって、前記センサ担持プレート（１）は複数のＣＰＶセンサ（５）を有し、前記レンズプレート（２）は、前記ＣＰＶセンサ（５）の数に対応した数のレンズを有し、前記レンズプレート（２）の前記レンズは、前記レンズの焦点距離分だけ前記ＣＰＶセンサ（５）よりも上方で、前記レンズの光軸の領域において、前記ＣＰＶセンサ（５）の水平方向の位置に対してほぼ平行に取り付けられており、
前記装置は、
前記レンズプレート（２）と同じ寸法を有し、調節される前記レンズプレート（２）と平行に取り付けられた固定レンズプレート（３）と、
前記ＣＰＶセンサ（５）の数に対応した数の点状光源（６）であって、前記固定レンズプレート（３）と平行に配置され、前記点状光源（６）の幾何学的中心点は、前記固定レンズプレート（３）のレンズの光軸上で、前記レンズの焦点距離分だけ離れた位置にあるものと、
前記点状光源（６）に設定可能な電力を供給するための手段と、
互いに直角に配置され、前記レンズプレート（２）を水平方向に移動させるための２つの調整装置（１２，１３）と、
前記ＣＰＶセンサ（５）の出力信号を解析し、前記ＣＰＶセンサ（５）の出力信号の電圧又は電流に基づいて前記２つの調整装置（１２，１３）を制御する制御ユニット（９）と、
を備えたことを特徴とする。
【００１４】
請求項３に係る発明は、請求項１又は請求項２に記載された装置であって、前記レンズプレート（２）を垂直方向に移動させるための調整装置がさらに設けられていることを特徴とする。
【００１５】
請求項４に係る発明は、請求項１乃至請求項３のいずれか一項に記載された装置であって、モジュールフレーム（１４）と前記レンズプレート（２）の間及び前記モジュールフレーム（１４）と前記センサ担持プレート（１）の間にシリコン封止剤塊（１５）を塗布する装置をさらに備え、前記モジュールフレーム（１４）は、前記センサ担持プレート（１）と前記レンズプレート（２）を保持するために用いられることを特徴とする。
【００１６】
請求項５に係る発明は、集光型光電池（以下「ＣＰＶ」と略称する）モジュールにおけるセンサ担持プレート（１）に対するレンズプレート（２）の位置を最適に調整するための方法であって、前記センサ担持プレート（１）は複数のＣＰＶセンサ（５）を有し、前記レンズプレート（２）は、前記ＣＰＶセンサ（５）の数に対応した数のレンズを有し、前記レンズプレート（２）の前記レンズは、前記レンズの焦点距離分だけ前記ＣＰＶセンサ（５）よりも上方で、前記レンズの光軸の領域において、前記ＣＰＶセンサ（５）の水平方向の位置に対してほぼ平行に取り付けられており、
前記方法は、
固定レンズプレート（３）及び複数の４分割センサ（４）を配置する工程であって、前記固定レンズプレート（３）は、前記レンズプレート（２）と同じ寸法を有し、調節される前記レンズプレート（２）と平行に取り付けられ、前記４分割センサ（４）は、前記ＣＰＶセンサ（５）の数に対応した数であって、前記固定レンズプレート（３）と平行に配置され、前記４分割センサ（４）の幾何学的中心点は、前記固定レンズプレート（３）のレンズの光軸上で、前記レンズの焦点距離分だけ離れた位置にあるものと、
互いに直角に配置され、前記レンズプレート（２）を水平方向に移動させるための２つの調整装置（１２，１３）を前記レンズプレート（２）に取り付ける工程と、
前記ＣＰＶモジュールの前記ＣＰＶセンサ（５）に設定可能な電力を供給する工程と、
前記４分割センサ（４）の出力信号を解析し、前記４分割センサ（４）の出力信号の電圧又は電流に基づいて前記２つの調整装置（１２，１３）を制御する工程と、
を備えたことを特徴とする。
【００１７】
請求項６に係る発明は、集光型光電池（以下「ＣＰＶ」と略称する）モジュールにおけるセンサ担持プレート（１）に対するレンズプレート（２）の位置を最適に調整するための方法であって、前記センサ担持プレート（１）は複数のＣＰＶセンサ（５）を有し、前記レンズプレート（２）は、前記ＣＰＶセンサ（５）の数に対応した数のレンズを有し、前記レンズプレート（２）の前記レンズは、前記レンズの焦点距離分だけ前記ＣＰＶセンサ（５）よりも上方で、前記レンズの光軸の領域において、前記ＣＰＶセンサ（５）の水平方向の位置に対してほぼ平行に取り付けられており、
前記方法は、
固定レンズプレート（３）及び複数の点状光源（６）を配置する工程であって、前記固定レンズプレート（３）は、前記レンズプレート（２）と同じ寸法を有し、調節される前記レンズプレート（２）と平行に取り付けられ、前記点状光源（６）は、前記ＣＰＶセンサ（５）の数に対応した数であって、前記固定レンズプレート（３）と平行に配置され、前記点状光源（６）の幾何学的中心点は、前記固定レンズプレート（３）のレンズの光軸上で、前記レンズの焦点距離分だけ離れた位置にあるものと、
互いに直角に配置され、前記レンズプレート（２）を水平方向に移動させるための２つの調整装置（１２，１３）を前記レンズプレート（２）に取り付ける工程と、
前記点状光源（６）に設定可能な電力を供給する工程と、
前記ＣＰＶセンサ（５）の出力信号を解析し、前記ＣＰＶセンサ（５）の出力信号の電圧又は電流に基づいて前記２つの調整装置（１２，１３）を制御する工程と、
を備えたことを特徴とする。
【００１８】
請求項７に係る発明は、請求項５又は請求項６に記載された方法であって、前記レンズプレート（２）を垂直方向に移動させるための工程がさらに設けられていることを特徴とする。
【００１９】
請求項８に係る発明は、請求項５乃至請求項７のいずれか一項に記載された方法であって、モジュールフレーム（１４）と前記レンズプレート（２）の間及び前記モジュールフレーム（１４）と前記センサ担持プレート（１）の間にシリコン封止剤塊（１５）を塗布する工程をさらに備え、前記モジュールフレーム（１４）は、前記センサ担持プレート（１）と前記レンズプレート（２）を保持するために用いられることを特徴とする。
【図面の簡単な説明】
【００２２】
【図１】図１は、ＣＰＶモジュールの概略構造を示す図である。
【図２】図２は、第１のレンズプレートの調整方法を示す図である。
【図３】図３は、第２のレンズプレートの調整方法を示す図である。
【図４】図４は、調整工程の概略図である。
【図５】図５は、４分割センサの電力分布の概略図である。
【図６】図６は、ＣＰＶセンサにおける電流及び電圧の輪郭を示す図である。
【発明を実施するための形態】
【００２３】
本発明に係る装置について、以下に詳細に説明する。図１は、ＣＰＶモジュールの概略構造を示す。ＣＰＶモジュールは、基本的に、互いに隣接するように配置された複数のＣＰＶセンサ５を含むセンサ担持プレート１と、その上に平行に配列され、互いに隣接するように配列された一般的にはフレネルレンズである複数のレンズを備えたレンズプレート２で構成されている。図１において、断面の左側に示されているモジュールフレーム１４は、２つのプレート１及び２を保持するために用いられている。２つのプレート１及び２の距離を基本的に決定する構造的寸法は、モジュールフレーム１４の高さである。このモジュールフレーム１４の高さは、レンズプレート２において用いられているレンズタイプの焦点距離に相当する。このように、太陽から平行に伸びた光束中のレンズプレート２に入射する太陽光が、各レンズと連係して確実にＣＰＶセンサ（５）の中央に正確に集光されることを可能にする。しかしながら、このことは、水平なＸ−Ｙ方向だけでなく、むしろ垂直方向にも要求される。そのため、レンズプレート２の調整中、モジュールフレーム１４とレンズプレート２の間及びモジュールフレーム１４とセンサ担持プレート１の間のシリコン封止剤塊１５の厚みも考慮に入れられるべきである。センサ担持プレート１とモジュールフレーム１４の間のシリコン封止剤塊１５の厚みは、基本的に一定であるが、しかしながら、製造工程中、特定の限界の範囲内で変化させることができる。しかしながら、レンズプレートの調整の時点で、センサ担持プレート１は、すでにモジュールフレーム１４に結合されている。
【００２４】
図２は、第１のレンズプレート２の調整方法を示す。ここで示す方法、すなわち、いわゆる第１の方法は、太陽輻射の自然な進行がシミュレートされる方法であって、レンズプレート２のレンズの寸法と同じものを有する固定されたレンズプレート３が、調整されるべきレンズプレート２に対して上流側に平行にさらに結合され、点状光源がレンズプレート３のレンズの焦点距離の位置に取り付けられている。このようにして、固定されたレンズプレート３は、調整されるべきレンズプレート２の方向に平行に伸びる光束を確実に放射することを可能にする。もしも、調整されるべきレンズプレート２が水平方向に少しずつ移動されるならば、それによって、レンズプレート２によって照射されたＣＰＶセンサ５は、個別にも、もちろん全体的にも、異なった電圧及び異なった電流を発生させる。
【００２５】
計画された手順に従ってレンズプレート２を少しずつ移動させ、それぞれの場合に、その後電圧と電流を測定することによって、センサ担持プレート１に対するレンズプレート２の最適な位置合わせを確認することができる。センサの表面全体にわたって感度が均一な理想的であると推定される受光素子に対して、最適な位置合わせは、センサ担持プレート上で測定された電力が最大になるという特徴を示す。そのような二次元の電流又は電圧分布の高品質のモデル化された輪郭を図６に示す。領域全体に対して均一な感度を有しない円形センサの場合、実際の電流／電圧の輪郭は、質的な例に関しては外れる。そのため、最適な動作点は、対称性を考慮して決定されるべきである。
【００２６】
水平方向におけるこの最適な位置合わせに続いて、垂直方向の調整が実行され、この調整は電圧及び／又は電流が最大になるという特徴を示し、基本的に、後から紹介するシリコン封止剤塊の厚み又は量によって決定される。そのような調整工程は図４から推測することができる。
【００２７】
さらに、図３は、図２において既に説明された第１の方法に類似した構造を有するけれども、光路を反転した、すなわち、動作を反対にした第２の方法を示す。ここでは、ＣＰＶセンサ５は、電力に関して評価されるのではなく、むしろ、エレクトロルミネセンス効果により制御可能なパワーを有する発光素子として機能し、個々のＣＰＶセンサ５に所定の直流電流を供給し、それによって放射された光は４分割センサ４によって検出され、量的に評価される。レンズプレート２に対するＣＰＶセンサ５の距離は、基本的にレンズプレート２で用いられるレンズの焦点距離に相当し、それによって、レンズプレート２とレンズプレート３の間で平行に伸びる光束が生じる。レンズプレート３は、４分割センサ４に対して予め自動的に調整されている。レンズプレート３は、Ｘ、Ｙ及びＺ方向の座標系において移動することができる。解りやすくするため、レンズプレート３の調整装置は示されていない。
【００２８】
４分割センサ４はレンズプレート３の焦点距離分だけ離れた場所に取り付けられ、レンズプレート３は４分割センサ４に対して位置合わせされ固定されているので、光を放射する各ＣＰＶセンサ５は、それぞれ対応する４分割センサ４上に結像される。固定されたレンズプレート３が、位置合わせされるべきレンズプレート２と同じ焦点距離を有する場合、この結像は１：１の大きさの像を生じる。しかしながら、原理的には、（レンズプレート３の焦点距離がレンズプレート２の焦点距離よりも小さいとき）縮小像又は（レンズプレート３の焦点距離がレンズプレート２の焦点距離よりも大きいとき）拡大像も可能である。しかしながら、単純化及び置換可能性の理由により、レンズプレート２及び３として、レンズの寸法だけでなくその焦点距離も同じにすることが望ましく、すなわち、同じタイプのレンズプレートを用いることができる。
【００２９】
図４は、いわゆる第２の方法に係るレンズプレート２の調整工程を概略的に示す。ここでは、４つの異なった平面が示されており、一番下のものは多数のＣＰＶセンサ５を有するセンサ担持プレート１を表す。それに最も近い２番目の平面は、背面調整装置１２と正面調整装置１３を有する関連したレンズプレート２を示す。これら２つの調整装置１２及び１３は、レンズプレート２を三次元座標系Ｘ、Ｙ及びＺにおける２つの水平なＸ及びＹ方向に移動させることが可能であり、概略図であるため、Ｚ方向の移動の可能性は図示していない。その次に近い平面は、図２及び図３の説明において既に述べた固定されたレンズプレート３を示す。４分割センサ４は、図４の一番上の平面に表示されている。ここでは、制御ユニット９へのデータ線８は、そこに取り付けられた全ての４分割センサに対して象徴的に示されている。また、制御ユニット９は、線７を介して個々のＣＰＶセンサ５に設定された電力を確実に供給する。さらに、制御ユニット９は、制御線１０及び１１によって、背面調整装置１２及び正面調整装置１３をそれぞれ制御する。ここでは、垂直なＺ方向におけるレンズプレート２の調整も図示していない。
【００３０】
第１の方法による調整工程の場合、点状の光源、例えばＬＥＤ素子が４分割センサ４の場所に配置されており、制御線７を備えた制御ユニット９は、ＣＰＶセンサに電力を供給するために用いられるのではなく、むしろ、ＣＰＶセンサにより発生された電力を引き出し、解析のためのその電力量を測定する。
【００３１】
図５は、位置合わせされるべきレンズプレート２のＸ及びＹ方向の位置によって決まる４分割センサの４つに分割された各区分に要求される定性的な電流分布を概略的に示す。このダイオードの４つに分割された各区分の原点は光軸上にあり、それゆえ、４つに分割された各区分でそれぞれ同じダイオード電流が測定されたとき、又は、隣接する１組のダイオードごとの４つの差分信号が最小になるとき、最適な調整が正確に得られる。
【００３２】
この測定方法のための位置決め精度は、機械的な移動工程の達成可能な精度に依存する。機械的公差の補償によって２０μｍ未満の精度を達成することができる。この測定構造として、シリコン４分割フォトダイオードからの予想される信号は、１０〜１００μＡの大きさの範囲であり、これらはｎＡの範囲にある暗電流に対する一般的な値である。このことは、高いＳＮ比をももたらすことができる。いずれにしても、第１の方法及び第２の方法にとっても、位置の変化に対して信号の変化率は非常に高い。
【００３３】
最後に、図６は、ＣＰＶセンサにおける電圧の輪郭を示す。一般的に、ＣＰＶモジュールは、数百個の独立したＣＰＶセンサで構成されている。既にベースプレート上に組み立てられているＣＰＶセンサは、その理想的な位置から一定の確率偏差を有しているので、センサ担持プレートのＣＰＶセンサ全体の最適な位置合わせを決定するためには、レンズプレートに対して様々な位置に分布されたＣＰＶセンサを合理的に選択して使用しなければならない。そして、測定に使用されていないＣＰＶセンサは、その他の用途に利用可能であるので、両方の方法を平行して使用することも可能であり、調整のために必要とされるＸＹＺ座標に関して、測定結果に基づいて制御プログラムにより自動的に適切なものを決定してもよい。図３及び図４で説明したレンズプレート２の代わりに、調整システムによってレンズプレート３に対して、集光モジュールのＣＰＶセンサ担持プレート１を位置合わせすることができる。４分割センサ又はＬＥＤ及びレンズプレート３及びレンズプレート２は、１つの光路上で互いに関連して位置合わせされる必要がある。
【００３４】
説明した動作シーケンスの複雑な制御は、特別な制御プログラムを必要とする。
【符号の説明】
【００３５】
１  センサ担持プレート
２  レンズプレート
３  固定されたレンズプレート
４  ４分割センサ
５  ＣＰＶセンサ
６  点状光源
７  ＣＰＶセンサ用の電源
８  ４分割センサのデータ線
９  制御ユニット
１０  背面調整装置用の制御線
１１  正面調整装置用の制御線
１２  背面調整装置
１３  正面調整装置
１４  モジュールフレーム
１５  シリコン封止剤塊
【図１】
0006321778.tif 000002
【図２】
0006321778.tif 000003
【図３】
0006321778.tif 000004
【図４】
0006321778.tif 000005
【図５】
0006321778.tif 000006
【図６】
0006321778.tif 000007